(57)【要約】【課題】回転操作スイッチにおいて、大きなクリック感が得られ、かつ組み付け取り外しの作業性を向上する。【解決手段】下部ストロボ本体１２の背面部１３に円筒状のボス部３３が突設され、ボス部には回転操作体３１の軸部３６が回転可能に挿入される。回転操作体の裏面に磁性体からなる板状体３２を固定し、板状体には、複数のインデックスホール４２を周方向に設け、背面部に設けられた導電パターン５６・５７と共にスイッチを構成する端子５５を取り付ける。背面部１３にはインデックスホールに対応する位置に円筒状ガイド部６１を設け、円筒状ガイド部により永久磁石からなるボール６２を板状体に接離する向きにガイドする。ボールとインデックスホールとの係合は磁気吸引力により行われるため、可動係合体を凹部に磁気吸着させて回転操作体と一体に取り扱うことができ、組み付け作業性が良い。【選択図】図３
2015143736.tif 000002
【特許請求の範囲】
【請求項１】
保持体と、前記保持体により回転可能に支持された回転操作体と、前記回転操作体の回転方向の複数位置を検知するべく前記回転操作体及び前記保持体の間に設けられたスイッチ手段を有する回転操作スイッチであって、
前記保持体及び前記回転操作体の一方に設けられ、かつ前記回転操作体の回転方向の前記複数位置に対応して配設された複数の凹部と、
前記回転操作体の回転に伴って前記回転方向に交差する方向に移動して前記凹部に係合離脱するように前記保持体及び前記回転操作体の他方に設けられた可動係合体と、
前記保持体及び前記回転操作体の他方に設けられ、かつ前記可動係合体を前記回転方向に交差する方向に移動させるようにガイドするガイド部とを有し、
前記可動係合体が永久磁石または磁性体からなり、
前記可動係合体に磁気吸引力を作用させるように前記保持体及び前記回転操作体の前記一方に設けられた磁気吸引力発生手段を有することを特徴とする回転操作スイッチ。
【請求項２】
前記可動係合体が球体からなり、
前記可動係合体が係合する前記凹部の開口が、前記球体よりも小さな直径の円形に形成されていることを特徴とする請求項１に記載の回転操作スイッチ。
【請求項３】
前記ガイド部が、前記可動係合体を前記回転操作体の回転軸の軸線と平行にガイドするように設けられ、
前記凹部が、前記回転操作体の回転方向に直交する向きに開口していることを特徴とする請求項１または請求項２に記載の回転操作スイッチ。
【請求項４】
前記ガイド部が、前記保持体に設けられ、かつ前記可動係合体を挿入可能な貫通孔からなることを特徴とする請求項１乃至請求項３のいずれかに記載の回転操作スイッチ。
【請求項５】
請求項１乃至請求項４のいずれかに記載の回転操作スイッチを備えることを特徴とするストロボ装置。
【発明の詳細な説明】
【技術分野】
【０００１】
本発明は、回転操作スイッチ及びそれを備えるストロボ装置に関し、特に回転操作時に接点位置でクリック感が得られる回転操作スイッチ及びそれを備えるストロボ装置に関するものである。
【背景技術】
【０００２】
従来、カメラやストロボ装置等に各種条件を設定するために回転可能なダイヤル型の回転操作体に接点を設けた回転操作スイッチがあり、そのような回転操作体を手動操作する際に設定位置に達したことをクリック感で確認できるようにしたものがある（例えば特許文献１参照）。
【０００３】
上記特許文献１のものでは、手動操作する回転操作体に同軸に設けた円柱状の押子に、その軸方向と直交する水平方向に横孔を設け、横孔に、押子の内部から外向きに付勢するコイルスプリングと、コイルスプリングの両端に対となる球体とを設けている。また、押子挿通孔の内周を凹凸面に形成し、回転操作体を回して操作する際に、コイルスプリングにより付勢される球体が凹凸面に沿って進退することにより、回転操作体の回転抵抗を異ならせ、クリック感が得られる点が記載されている。
【先行技術文献】
【特許文献】
【０００４】
【特許文献１】特開２０１１−１４６３５８号公報
【発明の概要】
【発明が解決しようとする課題】
【０００５】
しかしながら、上記特許文献１のものでは、クリック感を得るために、球体をコイルスプリングにより付勢して凹凸面に押し付けていることから、コイルスプリングの付勢力に抗して球体を押し込んだ状態を保持したまま、押子を回転操作体の押子挿通孔に組み付けることになる。大きなクリック感を得るためにはコイルスプリングの付勢力を強くするとよいが、その場合には球体を付勢する力が強くなり、その付勢力に抗して球体を押さえ付けながら押子を回転操作体の押子挿通孔に組み付けることになるため、組み付け性が悪化するという問題が生じる。また、修理のために取り外す場合には、球体の保持状態が悪いと、球体がコイルスプリングの付勢力により飛び散る虞がある。
【課題を解決するための手段】
【０００６】
このような課題を解決して、大きなクリック感が得られ、かつ組み付け、取り外しの作業性を向上し得る回転操作スイッチ及びそれを備えるストロボ装置を実現するために、本発明に於いては、保持体（１２）と、前記保持体により回転可能に支持された回転操作体（３１）と、前記回転操作体の回転方向の複数位置を検知するべく前記回転操作体及び前記保持体の間に設けられたスイッチ手段（５５・５６・５７）を有する回転操作スイッチであって、前記保持体及び前記回転操作体の一方に設けられ、かつ前記回転操作体の回転方向の前記複数位置に対応して配設された複数の凹部（４２）と、前記回転操作体の回転に伴って前記回転方向に交差する方向に移動して前記凹部に係合離脱するように前記保持体及び前記回転操作体の他方に設けられた可動係合体（６２）と、前記保持体及び前記回転操作体の他方に設けられ、かつ前記可動係合体を前記回転方向に交差する方向に移動させるようにガイドするガイド部（６１）とを有し、前記可動係合体が永久磁石または磁性体からなり、前記可動係合体に磁気吸引力を作用させるように前記保持体及び前記回転操作体の前記一方に設けられた磁気吸引力発生手段（３２）を有するものとした。
【０００７】
これによれば、回転操作体を回して複数の位置を検知するスイッチを設けた回転操作スイッチにおいて、回転操作体を回した際に任意の位置で可動係合体が凹部に係合することによりクリック感が得られる。また、可動係合体と凹部との係合は磁気吸引力により行われるため、可動係合体を凹部に磁気吸着させて回転操作体と一体に取り扱うことができ、従来のコイルばねにより付勢する場合のように可動係合体をコイルばねの付勢力に抗して保持した状態で取り扱うという煩雑さが無いため、組み付け作業性が良い。
【０００８】
特に、前記可動係合体が球体からなり、前記可動係合体が係合する前記凹部の開口が、前記球体よりも小さな直径の円形に形成されているとよい。
【０００９】
これによれば、球体の可動係合体と凹部の円形開口とが円周で接触した状態で係合することから、従来のコイルばねにより付勢する場合にはコイルばねの撓みにより片当たりが生じる虞があるのに対して、互いに接触する円周の全周で磁気吸引力により当接するため、常に安定した係合状態が得られる。回転操作体の回転に伴って一つの凹部から離脱して次の凹部に移る際に、球体の可動係合体は自由に回転し得ることから、大きな抵抗を受けることなく円滑に回転操作体を回転させることができる。
【００１０】
また、前記ガイド部が、前記可動係合体を前記回転操作体の回転軸の軸線と平行にガイドするように設けられ、前記凹部が、前記回転操作体の回転方向に直交する向きに開口しているとよい。
【００１１】
これによれば、凹部に対する可動係合体の移動方向が回転操作体の回転方向に交差する方向になるため、可動係合体と凹部との係合状態で、可動操作体の回転方向の操作力に対する抵抗力が得られる。その抵抗力に抗して回転操作体を回転させた際には、可動係合体は板状体に点接触状態になるため磁気吸引力が大きく低減するため、回転操作を容易に行うことができる。
【００１２】
また、前記ガイド部が、前記保持体に設けられ、かつ前記可動係合体を挿入可能な貫通孔からなるとよい。
【００１３】
これによれば、回転操作体を保持体に組み付けた後でも、可動係合体をガイド部に回転操作体とは反対側から挿入して組み付けることができ、組み付け作業の制約が無く、作業性を向上し得る。
【発明の効果】
【００１４】
このように本発明によれば、回転操作体を回して複数の位置を検知するスイッチを設けた回転操作スイッチにおいて、回転操作体を回した際に任意の位置で可動係合体が凹部に係合することによりクリック感が得られる。また、可動係合体と凹部との係合は磁気吸引力により行われるため、可動係合体を凹部に磁気吸着させて回転操作体と一体に取り扱うことができ、従来のコイルばねにより付勢する場合のように可動係合体をコイルばねの付勢力に抗して保持した状態で取り扱うという煩雑さが無いため、組み付け作業性が良い。
【図面の簡単な説明】
【００１５】
【図１】本発明によるストロボ装置の一つの実施形態を前側から見た斜視図。
【図２】本実施形態によるストロボ装置の後側から見た斜視図。
【図３】本発明が適用された数値設定ダイヤルの要部組立分解斜視図。
【図４】数値設定ダイヤルの回転操作体の裏側を示す斜視図。
【図５】図４のＶ−Ｖ線に沿って見た数値設定ダイヤルの組立状態を示す断面図。
【発明を実施するための形態】
【００１６】
以下に、本発明によるストロボ装置の一つの実施形態を、図１〜図５を参照して説明する。
【００１７】
図１、図２に示されているように、ストロボ装置１０は、保持体としての下部ストロボ本体１２と、下部ストロボ本体１２の上部に垂直軸線と水平軸線との双方の軸線周りに回動可能に取り付けられた上部ストロボ本体１４とを有する。
【００１８】
下部ストロボ本体１２は、下底部にカメラ（図示省略）との取付部１６を有し、電池ケースや電気部品、制御基板等を内蔵している。下部ストロボ本体１２の背面部１３には、電源スイッチボタン１８、電源ランプ２０、モード選択ダイヤル２２、数値設定ダイヤル２４が設けられている。
【００１９】
上部ストロボ本体１４は、キセノン放電管等の閃光光源を内蔵しており、前部にフレネルレンズ等による発光面部２６を有する。上部ストロボ本体１４には、発光面部２６の下部側に収納可能な広角拡散パネル２８と、発光面部２６の上部側に収納可能な板状のリフレクタ（レフ板）３０とが取り付けられている。
【００２０】
図３は本発明が適用された数値設定ダイヤル２４の要部組立分解斜視図である。数値設定ダイヤル２４は、手動で回転操作する円板状の回転操作体３１と、図４に併せて示されるように回転操作体３１の裏側（下部ストロボ本体１２の背面部１３側）に固定される円板型の板状体３２とを有する。図示例では、回転操作体３１は合成樹脂材を成型して形成され、板状体３２は、磁気吸引力発生手段として、薄肉板状の磁性体をプレス加工して形成されている。
【００２１】
下部ストロボ本体１２の背面部１３には、回転操作体３１を軸線方向に略半分程度埋没状態に受容する円形状の凹部１３ａが設けられ、凹部１３ａの底面の中央には円筒状のボス部３３が突設されている。図４に示されるように、回転操作体３１の裏側は、全体として平坦に形成された底面３４と、底面３４の外周部に設けられた円形環状の周壁部３５とにより形成されている。底面３４の中央には円筒形状の軸部３６が突設されており、軸部３６はボス部３３に突入した状態で回転自在に軸支される。
【００２２】
なお、図５に示されるように、ボス部３３により軸部３６が軸支された状態で軸部３６の軸線方向孔にねじ３７がねじ込まれることにより、下部ストロボ本体１２の背面部１３に回転操作体３１が取り付けられる。
【００２３】
板状体３２には、その中央にボス部３３を受容する大きさの孔４１と、外周側に周方向に例えば等間隔で配置された凹部としての貫通孔からなる複数のインデックスホール４２と、孔４１とインデックスホール４２との間の部分に図示例では３箇所に空けられた固定孔４３とが設けられている。また、板状体３２には、その外周縁から半径方向内側にスリット状に切り込まれた形状の半径方向切り込み部４４と、端子取付用開口４５と、端子位置決め用開口４６とが設けられている。
【００２４】
回転操作体３１の底面３４には、３箇所の固定孔４３に対応する位置に３つの突部５１と、半径方向切り込み部４４に対応する位置に半径方向に延在する突条部５２と、端子取付用開口４５に対応する位置に突部５３と、端子位置決め用開口４６に対応する位置に周方向に延在する突条部５４とが形成されている。板状体３２は、孔４１をボス部３３に嵌装し、半径方向切り込み部４４に突条部５２を係合させることにより回転操作体３１に対して周方向に位置決めされ、それにより各固定孔４３から露出する各突部５１の突出端部を工具（図示省略）で押し拡げることにより、回転操作体３１の底面３４に固定される。
【００２５】
端子５５は、図３及び図４に示されるように、回転操作体３１の回転方向（図３の矢印Ａ）に延在する円弧状に形成され、延在方向一端部には固定孔５５ａが設けられ、他端部側は二股フォーク状に形成され、その延出端に対となる接点部５５ｂが形成されている。このように形成された端子５５は、その固定孔５５ａを板状体３２の端子取付用開口４５と整合させ、端子取付用開口４５及び固定孔５５ａを介して露出する突部５３の突出端部を工具（図示省略）で押し拡げることにより、回転操作体３１の底面３４に固定される。なお、端子５５の対となる接点部５５ｂを形成する二股形状の間に突条部５４が位置することにより、端子５５が回転操作体３１に位置決めされる。
【００２６】
凹部１３ａの底面には、ボス部３３の周りに略半周分に亘る開口１３ｂが設けられており、開口１３ｂには、凹部１３ａの裏側（下部ストロボ本体１２の内側）に設けられた基板５８に形成された大小の円弧状の導電パターン５６・５７が露出している。これら導電パターン５６・５７と端子５５とによりスイッチ手段が構成されている。各導電パターン５６・５７はボス部３３と同軸の円弧状に延在し、端子５５の対の接点部５５ｂが回転操作体３１の回転に伴って各導電パターン５６・５７に摺接する。図示例では大径の導電パターン５６が複数のインデックスホール４２の間隔に対応して分割されている。
【００２７】
また、凹部１３ａの底面には、回転操作体３１の回転に伴ってインデックスホール４２が通過する位置に円筒状ガイド部６１が板状体３２に向けて突設されている。円筒状ガイド部６１の円筒内には可動係合体として図示例では永久磁石からなるボール６２が受容される。なお、円筒状ガイド部６１の内径は、ボール６２が円滑にかつがたつくことなく円筒状ガイド部６１の軸線方向すなわち板状体３２に接離する向きに移動可能な大きさに設定されている。また、インデックスホール４２は、ボール６２の直径よりも小さな内径の円形の貫通孔として板状体３２に形成されている。なお、円筒状ガイド部６１の突出端は、図５に示されるようにボス部３３に回転操作体３１が取り付けられた状態で、板状体３２に近接するようにされている。
【００２８】
複数のインデックスホール４２は、数値設定ダイヤル２４で設定する複数の値に対応して設けられている。例えば、マニュアル設定用には、全発光（１／１）〜最少発光（１／２５６）の範囲で９通りの設定が可能であり、オート設定用には、＋２．０〜−２．０の範囲で９通りの設定が可能である。なお、マニュアル設定とオート設定の切替は、モード選択ダイヤル２２による。
【００２９】
このようにして構成された数値設定ダイヤル２４において、回転操作体３１を回転させることにより、円筒状ガイド部６１と各インデックスホール４２とが適宜整合する。円筒状ガイド部６１内に軸線方向に移動自在に受容されているボール６２は、板状体３２との間で生じる磁気吸引力により板状体３２に常に当接する。そして、回転操作体３１を回転させて円筒状ガイド部６１とインデックスホール４２とが整合する位置ではボール６２がインデックスホール４２内に突入する。ボール６２の直径はインデックスホール４２の内径よりも大きいため、ボール６２の一部がインデックスホール４２に突入し、残りの大部分は円筒状ガイド部６１内に保持される。その突入状態では、インデックスホール４２の内周縁の全周に亘ってボール６２の球面が当接し、インデックスホール４２内に落ち込んだ状態でボール６２が保持されるため、回転操作体３１を回転させる力に対して大きな抵抗力が発生し、回転操作体３１が設定位置で安定して保持される。
【００３０】
従来のコイルばねによるものでは、ボールの移動量すなわちコイルばねの伸縮量を大きくしようとする場合にはコイルばねの保持孔の全長が長くなってしまう等、コンパクト化が難しくなるという問題がある。それに対して、クリック感の強さを磁気吸引力の強さで調整できるため、各部品の外形を変えることなくクリック感の強さを容易に変更できる。これにより、回転操作体３１を回転させる場合に、インデックスホール４２にボール６２が突入して係合する度に良好なクリック感が得られ、数値設定ダイヤル２４により設定値を変える操作を確実に行うことができる。
【００３１】
また、組み付け時においても、ボール６２をインデックスホール４２に載置することにより、磁気吸引力によりインデックスホール４２にボール６２が収まった状態で固定されるため、回転操作体３１にボール６２を一体化したユニット状態で取り扱うことができる。これにより、回転操作体３１の軸部３６をボス部３３に挿入する作業において、ボール６２を保持しながら行う必要が無く、作業性が向上し得る。
【００３２】
また、円筒状ガイド部６１は、図５に示されるように背面部１３を貫通する貫通孔６１ａにより形成されている。これにより、回転操作体３１を下部ストロボ本体１２に組み付けた後でも、ボール６２を図の矢印Ｂに示されるように背面部１３の裏側（回転操作体３１とは反対側）から貫通孔６１ａに挿入して組み付けることができる。ボール６２は、貫通孔６１ａにある程度挿入されることにより、板状体３２との間に生じる磁気吸引力により板状体３２に吸着されて保持される。このように、ボール６２の組み付け作業を容易に行うことができる。
【００３３】
また、軸部３６をボス部３３に挿入し、同時に円筒状ガイド部６１にボール６２が挿入されることにより、インデックスホール４２に固定状態のボール６２と軸部３６との距離がボス部３３と円筒状ガイド部６１との各孔間の距離よりも若干狭く設定されることにより、ボス部３３と円筒状ガイド部６１とが軸部３６とボール６２とにより挟持された状態になり、ねじ３７により締結する前でも下部ストロボ本体１２に回転操作体３１が仮止めされた状態になる。これにより、ねじ３７の締結作業を容易に行うことができる。
【００３４】
以上、本発明を、その好適実施形態の実施例について説明したが、当業者であれば容易に理解できるように、本発明はこのような実施例に限定されるものではなく、本発明の趣旨を逸脱しない範囲で適宜変更可能である。例えば、ボール６２がインデックスホール４２に磁気吸引される方向が回転操作体３１の軸線（回転軸）方向に平行な方向としたが、例えば回転操作体３１にボス部３３の外周面を帯状に外囲する円環状板状体を設け、インデックスホールを半径方向に開口させ、ボール６２を半径方向に移動可能にガイドするようにしてもよい。また、上記実施形態に示した構成要素は必ずしも全てが必須なものではなく、本発明の趣旨を逸脱しない限りにおいて適宜取捨選択することが可能である。
【００３５】
例えば、上記図示例では、可動係合体を真球形状のボール６２としたが、例えば図５の二点鎖線で示されるように砲弾型の可動係合体６３としてもよい。可動係合体６３は、円柱部分で円筒状ガイド部６１により軸線方向に移動自在に保持され、突出端部を半球面で形成することにより、ボール６２と同様の係合状態が得られる。
【００３６】
また、ボール６２が永久磁石により形成され、板状体３２が磁性体からなるとしたが、逆として、ボール６２を磁性体により形成し、板状体３２を永久磁石により形成してもよく、さらに、板状体３２を例えば硬質プラスチックで形成し、回転操作体３１に永久磁石からなる円板６４を埋設し、その円板６４によりボール６２を磁気吸引することもできる。なお、逆に、硬質プラスチック製の板状体３２と永久磁石からなる円板６４とを背面部１３に設け、回転操作体３１に設けた円筒状ガイド部６１により磁性体からなるボール６２を支持するようにしてもよい。
【００３７】
また、上記実施形態ではストロボ装置について示したが、本発明による回転操作スイッチはストロボ装置に限られるものではない。例えばカメラのシャッター速度や絞りの設定ダイヤルにも適用できる。
【符号の説明】
【００３８】
１２  下部ストロボ本体（保持体）
３１  回転操作体
３２  板状体（磁気吸引力発生手段）
５５  端子（スイッチ手段）
５６・５７  導電パターン
６１  円筒状ガイド部
６１ａ  貫通孔
６２  ボール（可動係合体）
【図１】
2015143736.tif 000003
【図２】
2015143736.tif 000004
【図３】
2015143736.tif 000005
【図４】
2015143736.tif 000006
【図５】
2015143736.tif 000007